(57)【要約】【課題】  入力端子への接続が途中で解除されたときに、解除された入力端子の前の入力端子に切換えることができるようにした情報処理装置および方法を提供する。【解決手段】  複数の入力ポート２ａ〜２ｄへの外部機器の接続または画像信号の入力を接続検出部３によって検出し、制御部８は、この接続検出部３から出力される検出情報に基づいて、表示パネル１１に表示させる画像の画像信号を入力した入力ポートの優先順位を決定する。このとき制御部８は、接続または入力が途中で中断されると、その入力ポートの優先順位を記憶部から消去して優先順位を付け直して更新し、更新後の優先順位を揮発性メモリ７に記憶されている優先順位の最も高い入力ポートの画像信号の画像を表示パネル１１に表示するように制御する。【選択図】      図１
2015210503.tif 000002
【特許請求の範囲】
【請求項１】
画像信号を出力する外部機器が接続されて、前記画像信号が入力される複数の入力ポートと、
前記入力ポートのいずれかに前記外部機器が接続されたとき、該外部機器が接続された入力ポートの接続を検出する機能、または前記入力ポートのいずれかに前記画像信号が入力されたとき、該画像信号が入力された入力ポートの入力を検出する機能を有する接続検出部と、
前記入力ポートに入力された前記画像信号の画像を表示する表示部と、
前記接続検出部によって検出された入力ポートに、入力された画像信号の画像を表示部に表示させる優先順位を付与し、付与した優先順位が最も高い入力ポートの画像信号の画像を前記表示部に表示させる制御部と、
前記制御部によって付与された優先順位を、該優先順位が付与された入力ポートに対応付けて記憶する記憶部と、を含み、
前記制御部は、前記記憶部に記憶されている優先順位と対応付けて記憶されている入力ポートの接続または前記画像信号の入力が前記接続検出部によって検出されなくなったとき、接続または入力が検出されなくなった入力ポートの優先順位を、前記記憶部から消去し、優先順位が連続した順位となるように、優先順位が消去された入力ポートよりも下位の優先順位が付与された入力ポートの優先順位を繰り上げるように制御することを特徴とする情報処理装置。
【請求項２】
前記優先順位の繰り上げは、入力ポートが検出されなくなったときから予め定める時間が経過したときに行われるように制御されることを特徴とする請求項１に記載の情報処理装置。
【請求項３】
前記制御部は、前記接続検出部によって入力ポートの接続または入力が検出されなくなり、その後予め定める時間以内に、同じ入力ポートの接続または入力が前記接続検出部によって検出されたとき、その入力ポートの優先順位を前記記憶部から消去しないことを特徴とする請求項１または２に記載の情報処理装置。
【請求項４】
前記表示部に電源電力を供給する電源部をさらに含み、
前記制御部は、
前記電源部から前記表示部への電源電力が供給状態から遮断状態に変化したとき、前記記憶部に記憶されている優先順位を保持し、
前記電源部から前記表示部への電源電力が遮断状態から供給状態に変化したとき、前記接続検出部に検出動作を行わせた後、前記記憶部の優先順位を更新することを特徴とする請求項１〜３のいずれか１つに記載の情報処理装置。
【請求項５】
画像信号を出力する外部機器が接続されて、前記画像信号が入力される複数の入力ポートのいずれかに前記外部機器が接続されたとき、該外部機器が接続された入力ポートの接続を検出し、または前記入力ポートのいずれかに前記画像信号が入力されたとき、該画像信号が入力された入力ポートの入力を検出する接続検出工程と、
前記接続検出工程において検出された入力ポートに、入力された画像信号の画像を表示部に表示させる優先順位を付与し、付与した優先順位が最も高い入力ポートの画像信号の画像を前記表示部に表示させる制御工程と、
前記制御工程において付与された優先順位を、該優先順位が付与された入力ポートに対応付けて記憶部に記憶させる記憶工程と、を含み、
前記制御工程では、前記記憶部に記憶されている優先順位と対応付けて記憶されている入力ポートの接続または前記画像信号の入力が前記接続検出工程で検出されなくなったとき、接続または入力が検出されなくなった入力ポートの優先順位を、前記記憶部から消去し、優先順位が連続した順位となるように、優先順位が消去された入力ポートよりも下位の優先順位が付与された入力ポートの優先順位を繰り上げるように制御することを特徴とする情報処理方法。
【発明の詳細な説明】
【技術分野】
【０００１】
本発明は、画像信号を出力する複数の外部機器が接続されたときの表示画像の優先順位を管理することができる情報処理装置および方法に関する。
【背景技術】
【０００２】
典型的な従来技術は、たとえば特許文献１に記載されている。この従来技術では、複数の入力端子に外部機器である周辺機器が接続されたとき、周辺機器が接続されていない入力端子に対してまで入力信号を検出する検出時間を短縮するため、複数の入力端子のうち、周辺機器が接続されている接続入力端子と、入力信号が伝送されている伝送入力端子とを検出し、接続入力端子だけについて入力信号を検出することによって、入力端子の入力信号の有無を検出する時間を短縮する技術が提案されている。
【０００３】
このような従来技術において、制御部は複数の入力端子への周辺機器の接続の有無を検出し、次に入力端子の入力信号の有無を検出した後、入力端子の検出情報を記憶部に記憶させる。制御部は、新たに検出した入力端子があるか否かを判断し、新たに検出した入力端子がある場合には、該新たに検出した入力端子の画像に表示を切換え、また新たに検出した入力端子がない場合には、最後に検出した入力端子の画像に表示を切換えるように構成されている。
【先行技術文献】
【特許文献】
【０００４】
【特許文献１】特開２００８−１９７２７６号公報
【発明の概要】
【発明が解決しようとする課題】
【０００５】
前述の従来技術では、時系列的な順序で入力端子への新たな接続を検出したときには、新たに接続を検出した入力ポートである入力端子の画像に表示を切換え、新たに接続を検出した入力端子がない場合には、最後に検出した入力端子の画像に表示を切換えるように構成されるが、入力端子への接続が検出された後に、その接続が解除されたときには、接続が解除される前に接続されていた入力端子の画像に表示を切換えることができないという問題がある。このことは、入力端子の接続が解除された場合だけでなく、入力端子への画像信号の入力の有無を検出する構成についても、同様である。
【０００６】
本発明の目的は、入力ポートへの外部機器の接続が途中で解除されたとき、または入力ポートへの画像信号の入力が途中で遮断されたときに、解除または遮断された入力ポートの前に接続または入力されていた入力ポートの画像に表示画像を切換えることができるようにした情報処理装置および方法を提供することである。
【課題を解決するための手段】
【０００７】
本発明は、画像信号を出力する外部機器が接続されて、前記画像信号が入力される複数の入力ポートと、
前記入力ポートのいずれかに前記外部機器が接続されたとき、該外部機器が接続された入力ポートの接続を検出する機能、または前記入力ポートのいずれかに前記画像信号が入力されたとき、該画像信号が入力された入力ポートの入力を検出する機能を有する接続検出部と、
前記入力ポートに入力された前記画像信号の画像を表示する表示部と、
前記接続検出部によって検出された入力ポートに、入力された画像信号の画像を表示部に表示させる優先順位を付与し、付与した優先順位が最も高い入力ポートの画像信号の画像を前記表示部に表示させる制御部と、
前記制御部によって付与された優先順位を、該優先順位が付与された入力ポートに対応付けて記憶する記憶部と、を含み、
前記制御部は、前記記憶部に記憶されている優先順位と対応付けて記憶されている入力ポートの接続または入力が前記接続検出部によって検出されなくなったとき、接続または前記画像信号の入力が検出されなくなった入力ポートの優先順位を、前記記憶部から消去し、優先順位が連続した順位となるように、優先順位が消去された入力ポートよりも下位の優先順位が付与された入力ポートの優先順位を繰り上げるように制御することを特徴とする情報処理装置である。
【０００８】
また本発明は、前記優先順位の繰り上げは、入力ポートが検出されなくなったときから予め定める時間が経過したときに行われるように制御されることを特徴とする。
【０００９】
また本発明は、前記予め定める時間以内にさらに別の入力ポートの接続または入力が前記接続検出部によって検出されたとき、前記制御部は、入力された画像信号の画像を前記表示部に表示させる優先順位の付与を、前記優先順位を繰り上げた後に行うことを特徴とする。
【００１０】
また本発明は、前記表示部に電源電力を供給する電源部をさらに含み、
前記制御部は、
前記電源部から前記表示部への電源電力が供給状態から遮断状態に変化したとき、前記記憶部に記憶されている優先順位を保持し、
前記電源部から前記表示部への電源電力が遮断状態から供給状態に変化したとき、前記接続検出部に検出動作を行わせた後、前記記憶部の優先順位を更新することを特徴とする。
【００１１】
また本発明は、画像信号を出力する外部機器が接続されて、前記画像信号が入力される複数の入力ポートのいずれかに前記外部機器が接続されたとき、該外部機器が接続された入力ポートの接続を検出し、または前記入力ポートのいずれかに前記画像信号が入力されたとき、該画像信号が入力された入力ポートの入力を検出する接続検出工程と、
前記接続検出工程において検出された入力ポートに、入力された画像信号の画像を表示部に表示させる優先順位を付与し、付与した優先順位が最も高い入力ポートの画像信号の画像を前記表示部に表示させる制御工程と、
前記制御工程において付与された優先順位を、該優先順位が付与された入力ポートに対応付けて記憶部に記憶させる記憶工程と、を含み、
前記制御工程では、前記記憶部に記憶されている優先順位と対応付けて記憶されている入力ポートの接続または前記画像信号の入力が前記接続検出工程で検出されなくなったとき、接続または入力が検出されなくなった入力ポートの優先順位を、前記記憶部から消去し、優先順位が連続した順位となるように、優先順位が消去された入力ポートよりも下位の優先順位が付与された入力ポートの優先順位を繰り上げるように制御することを特徴とする情報処理方法である。
【発明の効果】
【００１２】
本発明によれば、接続検出部によって、複数の入力ポートのいずれかに外部機器が接続されたとき、外部機器が接続された入力ポートの接続または画像信号の入力が検出される。制御部は、検出された入力ポートに優先順位を付与し、付与された優先順位を入力ポートに対応付けて記憶部に記憶させる。接続検出部によって入力ポートの接続または入力が検出されなくなったときには、接続または入力されなくなった入力ポートの優先順位を記憶部から消去し、残りの優先順位を繰り上げ、表示部に優先順位が最も高い順位の入力ポートの画像信号の画像を表示させる。
【００１３】
このようにして、制御部が接続検出部による各入力ポートへの接続または入力のあった入力ポートおよび検出されなくなった入力ポートの優先順位が更新され、したがって、各入力ポートへの外部機器の接続または各入力ポートへの画像信号の入力が時系列に反映されるので、常に優先順位の最も高い入力ポートの画像信号の画像を表示部に表示させることができる。
【００１４】
また本発明によれば、制御部は、優先順位の繰り上げを、入力ポートが検出されなくなったときから予め定める時間が経過したとき行うので、外部機器の再起動などによる、優先順位を変更する必要のない場合にまで、優先順位の異なる入力ポートの画像信号の画像を表示部に表示させるという不具合を防ぐことができる。
【００１５】
また本発明によれば、入力オートの接続または入力が検出されなくなり、その後予め定める時間以内に、同じ入力ポートの接続または入力が検出されたとき、その入力ポートの優先順位を記憶部から消去しないので、優先順位を変更する必要のない場合にまで、優先順位の異なる入力ポートの画像信号の画像を表示部に表示させるという不具合を防ぐことができる。
【００１６】
また本発明によれば、電源部から表示部への電源電力の供給が遮断されても、記憶部の優先順位が保持され、電源部から表示部への電源電力が遮断状態から供給状態になっても、記憶部に記憶される優先順位が接続検出部から出力される新たな検出情報に基づいて更新されるので、表示部の電源のオン／オフ操作を行っても、その直前に最も優先順位の高い入力ポートの画像信号の画像を表示部に表示させることができる。
【００１７】
また本発明によれば、接続検出工程において、複数の入力ポートのいずれかに外部機器が接続されたとき、外部機器が接続された入力ポートの接続または画像信号の入力が検出される。制御工程は、検出された入力ポートに優先順位を付与し、付与された優先順位を入力ポートに対応付けて記憶部に記憶させる。接続検出工程において入力ポートの接続または入力が検出されなくなったときには、接続または入力されなくなった入力ポートの優先順位を記憶部から消去し、残りの優先順位を繰り上げ、表示部に優先順位が最も高い順位の入力ポートの画像信号の画像を表示させる。
【００１８】
このようにして、制御工程で接続検出工程における各入力ポートへの接続または入力のあった入力ポートおよび検出されなくなった入力ポートの優先順位が更新され、したがって、各入力ポートへの外部機器の接続または各入力ポートへの画像信号の入力が時系列に反映されるので、常に優先順位の最も高い入力ポートの画像信号の画像を表示部に表示させることができる。
【図面の簡単な説明】
【００１９】
【図１】本発明の一実施形態の情報処理装置１の電気的構成を示すブロック図である。
【図２】制御部８の動作を説明するためのフローチャートである。
【図３】揮発性メモリ７に記憶される優先順位テーブル２０を示す図である。
【図４】揮発性メモリ７に記憶される優先順位テーブル２０を示す図である。
【図５】揮発性メモリ７に記憶される優先順位テーブル２０を示す図である。
【図６Ａ】外部機器ＰＣ１〜ＰＣ４の入力ポート２ａ〜２ｄへの接続状態と表示画像との関係を示す図である。
【図６Ｂ】外部機器ＰＣ１〜ＰＣ４の入力ポート２ａ〜２ｄへの接続状態と表示画像との関係を示す図である。
【図６Ｃ】外部機器ＰＣ１〜ＰＣ４の入力ポート２ａ〜２ｄへの接続状態と表示画像との関係を示す図である。
【図６Ｄ】外部機器ＰＣ１〜ＰＣ４の入力ポート２ａ〜２ｄへの接続状態と表示画像との関係を示す図である。
【図６Ｅ】外部機器ＰＣ１〜ＰＣ４の入力ポート２ａ〜２ｄへの接続状態と表示画像との関係を示す図である。
【図６Ｆ】外部機器ＰＣ１〜ＰＣ４の入力ポート２ａ〜２ｄへの接続状態と表示画像との関係を示す図である。
【図６Ｇ】外部機器ＰＣ１〜ＰＣ４の入力ポート２ａ〜２ｄへの接続状態と表示画像との関係を示す図である。
【図６Ｈ】外部機器ＰＣ１〜ＰＣ４の入力ポート２ａ〜２ｄへの接続状態と表示画像との関係を示す図である。
【図６Ｉ】外部機器ＰＣ１〜ＰＣ４の入力ポート２ａ〜２ｄへの接続状態と表示画像との関係を示す図である。
【図６Ｊ】外部機器ＰＣ１〜ＰＣ４の入力ポート２ａ〜２ｄへの接続状態と表示画像との関係を示す図である。
【図６Ｋ】外部機器ＰＣ１〜ＰＣ４の入力ポート２ａ〜２ｄへの接続状態と表示画像との関係を示す図である。
【図６Ｌ】外部機器ＰＣ１〜ＰＣ４の入力ポート２ａ〜２ｄへの接続状態と表示画像との関係を示す図である。
【図６Ｍ】外部機器ＰＣ１〜ＰＣ４の入力ポート２ａ〜２ｄへの接続状態と表示画像との関係を示す図である。
【発明を実施するための形態】
【００２０】
（第１実施形態）
図１は、本発明の一実施形態の情報処理装置１の電気的構成を示すブロック図である。なお、本実施形態の情報処理装置１によって、情報処理方法に係る本発明が実施されるものとして、以下に説明する。
【００２１】
本実施形態において、たとえば４台のパーソナルコンピュータである外部機器ＰＣ１〜ＰＣ４の信号ケーブルが情報処理装置１の入力部２の各入力ポート２ａ〜２ｄに操作者によって、情報処理装置１が起動中に接続または接続解除された場合を想定して説明する。本実施形態の情報処理装置１は、入力部２、接続検出部３、画像メモリ４、画像データ処理部５、不揮発性メモリ６、揮発性メモリ７、制御部８、受光部９、通信部１０、表示部である表示パネル１１、バックライト１２、ＤＣ／ＤＣ変換部１３、時計部１４、温度センサ１５および電源ユニット１６を含んで構成される。
【００２２】
入力部２は、画像信号を出力するたとえばパーソナルコンピュータなどの外部機器を接続可能な複数の入力ポート２ａ〜２ｄを有し、各入力ポート２ａ〜２ｄに外部機器が接続されたこと、および各入力ポート２ａ〜２ｄに画像信号が入力されたことが接続検出部３によって検出される。接続検出部３は、各入力ポート２ａ〜２ｄへの外部機器の接続および入力された画像信号の有無などの検出結果を、時系列的に表す検出情報として、制御部８に出力する。
【００２３】
画像データ処理部５は、制御部８の制御によって、各入力ポート２１ａ〜２１ｄから接続検出部３を経て入力した画像信号を、画像補正、カラー補正、γ補正、倍速処理、ＯＳＤ（On Screen Display）、重畳などの各種の画像処理を実行する。不揮発性メモリ６は、フラッシュメモリおよびＥＥＰＲＯＭ（Electrically Erasable Programmable Read Only Memory）などによって実現され、制御プログラム、ログ情報、ユーザ設定情報、システム情報などが書き込まれて格納される。
【００２４】
揮発性メモリ７は、ＳＲＡＭ（Static Random Access Memory）によって実現され、各入力ポート２１ａ〜２１ｄの入力情報が記憶される。また受光部９は、リモコンとも称されるリモートコントロール送信機からのＩＲ信号を受光し、受光した信号を制御部８に出力する。
【００２５】
通信部１０は、外部機器との通信に用いられるインターフェイスである。表示パネル１１は、光源としてＬＥＤ(Light Emitting Diode)を用いるバックライト１２からの光によって画像信号の画像を表示することができる液晶ディスプレイ装置によって実現される。バックライト１２には、電源ユニット１６からの電源電力が供給される。
【００２６】
電源ユニット１６から出力される電源電力は、ＤＣ／ＤＣ変換部１３によって、直流／直流変換され、制御部８に駆動電力として与えられる。また温度センサ１５は、周囲の環境温度を検出し、その検出した温度情報を制御部８に出力し、図示しない冷却用ファンモータの駆動／停止などを行うための温度情報を供給する。
【００２７】
制御部８は、接続検出部３から出力される検出情報に基づいて、画像信号を画像データ処理部５から表示パネル１１へ出力させる画像の優先順位を決定し、その優先順位を出力する順位決定部として機能する。このような制御部８は、中央演算処理装置（Central Processing Unit；略称ＣＰＵ）によって実現される。
【００２８】
制御部８は、記憶部である揮発性メモリ７に記憶される優先順位によって前記表示パネル１１に最も優先順位の高い入力ポートの画像信号の画像を表示させる。また接続検出部３からの検出信号に応答して、各入力ポート２１ａ〜２１ｄの接続が解除された入力ポートおよび画像信号の入力が遮断された入力ポートの優先順位を、揮発性メモリ７から削除し、新たな優先順位に更新する。前記表示パネル１１およびバックライト１２は、表示部を構成する。
【００２９】
制御部８はまた、電源ユニット１６からバックライト１２および表示パネル１１への電源電力の供給状態が遮断状態に変化したときには、揮発性メモリ７に記憶されている優先順位を保持し、電源ユニット１６からバックライト１２への電源電力が遮断状態から供給状態に変化したときには、揮発性メモリに記憶されている優先順位を、外部機器の接続が解除された入力ポートおよび画像信号の入力が遮断された入力ポートの少なくとも一方を除く残余の入力ポートについての優先順位に更新する。このようにして揮発性メモリ７に記憶されている優先順位は、連続した順位となるように書き換えられている。
【００３０】
図２は、制御部８の動作を説明するためのフローチャートであり、図３〜図５は揮発性メモリ７に記憶される優先順位テーブル２０を示す図である。情報処理装置１の電源が投入されると、制御部８の動作が開始され、ステップａ１で、電源ユニット１６の電源電力が遮断状態から供給状態に変化したとき、制御部８は、揮発性メモリ７に記憶されている優先順位を、接続検出部３から出力される新たな優先順位に更新する。
【００３１】
ステップａ２で、情報処理装置１の表示パネル１１には、たとえば外部機器ＰＣ１が入力ポート２ａに接続され、その優先順位が第１位に予め設定されている場合、情報処理装置１の表示パネル１１には、外部機器ＰＣ１の画像信号の画像が表示される。
【００３２】
ステップａ３の接続検出工程において、各入力ポート２ｂ〜２ｄのうちのたとえば入力ポート２ｂに外部機器ＰＣ２が接続されると、接続検出部３は入力ポート２ｂに外部機器ＰＣ２が接続されたことを検出し、制御部８に入力ポート２ｂに接続があったことを表す検出情報を出力する。制御部８は、接続検出部３から新たな検出情報を入力すると、制御工程に移り、ステップａ４で、揮発性メモリ７に記憶されている優先順位テーブル２０を、図３に示すように、ＰＣ１をＰＣ２の次の優先順位に繰り下げ、ステップａ５で、検出した入力ポートの優先順位を最上位に設定し、ステップａ６で、この検出した入力ポートに接続されている外部機器ＰＣ２の画像信号の画像を表示パネル１１に表示させる。
【００３３】
ステップａ７において、各入力ポート２ａ〜２ｄに外部機器ＰＣ１〜ＰＣ４がそれぞれ接続された状態で、新たな無信号、すなわち画像信号ではなく接続だけを検出した入力ポート２ｂがある場合には、ステップａ８で、接続を検出した入力ポート２ｂの優先順位を、図４に示すように、揮発性メモリ７の優先順位テーブル２０から消去し、ステップａ９で、消去した優先順位の値を繰り上げして更新する処理を実行した後、ステップａ１０で、最上位の優先順位の入力ポート２ｃに接続されている外部機器ＰＣ３の画像信号の画像を表示パネル１１に表示させる。
【００３４】
ステップａ１１において、接続検出部３からの検出情報が全ての入力ポート２ａ〜２ｄの接続だけを検出するものであり、外部機器ＰＣ３が接続された入力ポートに画像信号の入力がない場合には、ステップａ１２で、入力信号なしであると判断して、入力が検出されない入力ポートを、図５に示すように、揮発性メモリ７の優先順位テーブル２０から消去し、消去した優先順位の値を繰り上げして更新する処理を実行して制御工程を終了した後、ステップａ３の接続検出工程へ戻り、新たな接続または画像信号の入力があるまで待機する。
【００３５】
図６Ａ〜図６Ｍは、外部機器ＰＣ１〜ＰＣ４の入力ポート２ａ〜２ｄへの接続状態と表示画像との関係を示す図である。入力ポート２ａ〜２ｄのいずれかに外部機器ＰＣ１が接続されると、接続検出部３は、入力ポート２ａに外部機器ＰＣ１が接続されたことを検出し、揮発性メモリ７の優先順位テーブル２０に入力ポート２ａの優先順位が第１位であることを表す優先順位を記憶させ、外部機器ＰＣ１から入力ポート２ａに入力した画像信号の画像を、図６Ａのように表示パネル１１に表示させる。
【００３６】
入力ポート２ａに外部機器ＰＣ１が上記のように接続された状態で、たとえば入力ポート２ｂに外部機器ＰＣ２が新たに接続されると、揮発性メモリ７の優先順位テーブル２０に記憶されている優先順位は、外部機器ＰＣ２の優先順位が第１位となり、ＰＣ１の優先順位が第２位となるので、画像処理装置１の表示パネル１１には、外部機器ＰＣ２から入力ポート２ｂに入力された画像信号の画像が、図６Ｂのように表示される。
【００３７】
前述のように外部機器ＰＣ１，ＰＣ２が入力ポート２ａ，２ｂにそれぞれ接続された状態で、さらに第３の外部機器ＰＣ３が入力ポート２ｃに接続されると、最後に接続された外部機器ＰＣ３の優先順位が第１位、外部機器ＰＣ２の優先順位が第２位、外部機器ＰＣ１の優先順位が第３位に、揮発性メモリ７の優先順位テーブル２０の優先順位が更新され、表示パネル１１には優先順位の最も高い入力ポート２ｃに接続された外部機器ＰＣ３の画像信号の画像が、図６Ｃに示すように表示される。
【００３８】
外部機器ＰＣ１〜ＰＣ３が入力ポート２ａ〜２ｃにそれぞれ接続された状態で、さらに第４の外部機器ＰＣ４が入力ポート２ｄに接続されると、最後に接続された外部機器ＰＣ４の優先順位が第１位、外部機器ＰＣ３の優先順位が第２位、外部機器ＰＣ２の優先順位が第３位、最も先に接続された外部機器ＰＣ１の優先順位が第４位に、揮発性メモリ７の優先順位テーブル２０の優先順位が更新され、表示パネル１１には最も優先順位の高い外部機器ＰＣ４の画像信号の画像が、図６Ｄのように表示される。
【００３９】
次に、外部機器ＰＣ１〜ＰＣ４が各入力ポート２ａ〜２ｄにそれぞれ接続された状態から、１台の外部機器ＰＣ３が入力ポート２ｃから外されて接続が解除されると、揮発性メモリ７の優先順位テーブル２０は、優先順位が第３位であった入力ポート２ｂの優先順位が第２位に繰り上げられ、現実に接続されている外部機器ＰＣ１，ＰＣ２，ＰＣ４の優先順位が連続した順位となるように更新される。情報処理装置１の表示パネル１１は変化せず、優先順位が第１位の外部機器ＰＣ４の画像信号の画像が、図６Ｅのように表示される。
【００４０】
さらに外部機器ＰＣ２が入力ポート２ｂから外されて接続が解除されると、揮発性メモリ７の優先順位テーブル２０は、優先順位が第３位であった入力ポート２ａの優先順位が第２位に繰り上げられ、現実に接続されている外部機器ＰＣ１，ＰＣ４の優先順位が連続した順位となるように更新される。情報処理装置１の表示パネル１１は変化せず、優先順位が第１位の外部機器ＰＣ４の画像信号の画像が、図６Ｆのように表示される。
【００４１】
また、図６Ｅに示すように、入力ポート２ａ，２ｂ，２ｄに外部機器ＰＣ１，ＰＣ２，ＰＣ４が接続された状態で、空きポートであった入力ポート２ｃにＰＣ３が接続されると、最後に接続された外部機器ＰＣ３の優先順位が最も高くなりので、情報処理装置１の表示パネル１１には、外部機器ＰＣ３の画像信号の画像が、図６Ｇのように表示される。
【００４２】
また、図６Ｄに示すように、外部機器ＰＣ１〜ＰＣ４が入力ポート２ａ〜２ｄにそれぞれ接続された状態から、優先順位が第１位であった入力ポート２ｄから外部機器ＰＣ４が外されて接続が解除されると、接続が解除される直前の優先順位が第２位であった入力ポート２ｃの優先順位が第１位に昇格されて、入力ポート２ｃに接続される外部機器ＰＣ３の画像信号の画像が、図６Ｈのように表示パネル１１に表示される。
【００４３】
この状態から、さらに優先順位が第１位の入力ポート２ｃから外部機器ＰＣ３が外されて接続が解除されると、接続が解除される直前の優先順位が第２位であった入力ポート２ｂの優先順位が第１位に昇格され、外部機器ＰＣ２の画像信号の画像が、図６Ｉのように、表示部１１に表示される。
【００４４】
さらに上記の入力ポート２ｂから外部機器ＰＣ２が外されて接続が解除されると、外部機器ＰＣ２の接続が解除される直前の優先順位に第２位である外部機器ＰＣ１の画像信号の画像が、図６Ｊのように表示パネル１１に表示される。
【００４５】
また外部機器ＰＣ１〜ＰＣ４が入力ポート２ａ〜２ｄにそれぞれ接続された図６Ｇの状態から、優先順位が第１位であった外部機器ＰＣ３が入力ポート２ｃから外されると、前述の図６Ｅに示すように、外部機器ＰＣ４の入力ポート２ｄの優先順位が再び第１位となるので、外部機器ＰＣ４の画像信号の画像が表示パネル１１に表示される。
【００４６】
さらに前述の図６Ｈに示すように、外部機器ＰＣ１〜ＰＣ３が入力ポート２ａ〜２ｃに接続された状態から、外部機器ＰＣ３が外されると、制御部８は外部機器ＰＣ３の接続が解除されたものと判断して、揮発性メモリ７の優先順位を更新し、図６Ｉに示すように、接続解除される前に接続した外部機器ＰＣ２の画像信号の画像が表示パネル１１に表示される。さらに外部機器ＰＣ２の接続が解除されると、図６Ｊに示すように、最後の外部機器ＰＣ１の画像信号の画像が表示パネル１１に表示され、さらに全ての外部機器ＰＣ１〜ＰＣ４の入力ポート２ａ〜２ｄの接続が解除されると、表示パネル１１はブルーパックまたはパワーセーブに切換えられ、待機状態が維持される。
【００４７】
前述の図６Ｊに示される状態から、外部機器ＰＣ４が入力ポート２ａ〜２ｄのいずれかに接続されると、最後に接続された外部機器ＰＣ４の画像信号の画像が表示パネル１１に表示される。また図６Ｊに示す外部機器ＰＣ１が接続された状態から第３の外部機器ＰＣ３が入力ポート２ａ〜２ｄのいずれかに接続されると、外部機器ＰＣ３が最も優先順位の高い外部機器と判断して、その画像信号の画像が表示パネル１１に表示される。
【００４８】
以上のように、入力ポート２ａ〜２ｄに外部機器が接続されると、最後に接続された外部機器を優先順位が最も高い外部機器であるとして、その画像を表示し、既に接続されている外部機器の接続を解除すると、残りの外部機器のうちの最も優先順位の高い外部機器の画像信号の画像が表示される。外部機器の増設または減少にかかわらず、常に接続されている外部機器のうちで最も優先順位の高い外部機器から入力した画像信号の画像を表示させることができる。
【００４９】
（第２実施形態）
前述の実施形態では、各入力ポート２ａ〜２ｄの接続またはその接続の解除に応答して、制御部８が入力ポート２ａ〜２ｄの優先順位を更新するように構成されたが、本発明の他の実施形態では、各入力ポート２ａ〜２ｄの画像信号の入力またはその遮断に応答して、各入力ポート２ａ〜２ｄの優先順位を決定するように構成されてもよい。
【００５０】
（第３実施形態）
前述の各実施形態では、４台のパーソナルコンピュータである外部機器ＰＣ１〜ＰＣ４の信号ケーブルが情報処理装置１の入力部２の各入力ポート２ａ〜２ｄに操作者によって、情報処理装置１が起動中に接続または接続解除された場合について述べたが、本発明の他の実施形態では、前記情報処理装置１のリモートコントロール装置（略称、リモコン）によって、各外部機器ＰＣ１〜ＰＣ４の接続または接続解除の操作が行われた場合に、上記の各実施形態と同様に、揮発性メモリ７に記憶される優先順位テーブル２０の優先順位が書き換えられるように構成されてもよい。この場合においても、上記の各実施形態と同様な効果を奏することができる。
【００５１】
（第４実施形態）
本発明のさらに他の実施形態では、情報処理装置１の表示パネル１１に表示されるタッチパネルキーまたは制御部８に接続されるキーボードなどのハードウェアキーを備える入力装置によって、各外部機器ＰＣ１〜ＰＣ４の接続または接続解除の操作が行われた場合に、上記の各実施形態と同様に、揮発性メモリ７に記憶される優先順位テーブル２０の優先順位が書き換えられるように構成されてもよい。この場合においても、上記の各実施形態と同様な効果を奏することができる。
【００５２】
（第５実施形態）
前述の第１〜第４の各実施形態では、情報処理装置１の入力部２に対して外部機器ＰＣ１〜ＰＣ４を比較的長い時間、たとえば５分間以上の長い時間にわたって接続しない状況が継続された後、再び接続された場合を想定して説明したが、本発明の他の実施形態では、各外部機器ＰＣ１〜ＰＣ４を再起動させた場合などのように、比較的短い時間、たとえば１分間以下の短時間の未接続状態が接続検出部３によって検出されてしまうことを回避するために、制御部８に未接続判定機能を持たせて、たとえば各入力ポート２ａ〜２ｄに外部機器ＰＣ１〜ＰＣ４の通信ケーブルの接続端子が接続された状態で画像信号などが１分間以下の範囲で中断されても、未接続と判断せず、１分間を超えて画像信号などが入力されない場合に、未接続であると判断するように構成されてもよい。この場合においても、上記の各実施形態と同様な効果を奏することができる。
【００５３】
（第６実施形態）
本発明のさらに他の実施形態では、制御部８は、接続検出部３によって入力ポート２ａ〜２ｄの接続または入力が検出されなくなり、その後予め定める時間、たとえば１分間以内に、同じ入力ポートの接続または入力が接続検出部３によって検出されたとき、その入力ポートの優先順位を記憶部である不揮発性メモリ６から消去しないように構成されてもよい。このような構成によって、優先順位を変える必要のない場合にまで、所望しない画像が表示されてしまうことを防ぐことができる。
【００５４】
（第７実施形態）
本発明のさらに他の実施形態では、予め定める時間以内にさらに別の入力ポートの接続または入力が検出されたとき、入力された画像信号の画像を表示部に表示させる優先順位の付与を、優先順位を繰り上げた後または前に行うように構成されてもよい。これによってもまた、前述と同様に、優先順位の異なる入力ポートの画像信号の画像が表示部に表示されるという不具合を防ぐことができる。
【符号の説明】
【００５５】
１  情報処理装置
２  入力部
２ａ〜２ｄ  入力ポート
３  接続検出部
４  画像メモリ
５  画像データ処理部
６  不揮発性メモリ
７  揮発性メモリ
８  制御部
９  受光部
１０  通信部
１１  表示パネル
１２  バックライト
１３  ＤＣ／ＤＣ変換部
１４  時計部
１５  温度センサ
１６  電源ユニット
【図１】
2015210503.tif 000003
【図２】
2015210503.tif 000004
【図３】
2015210503.tif 000005
【図４】
2015210503.tif 000006
【図５】
2015210503.tif 000007
【図６Ａ】
2015210503.tif 000008
【図６Ｂ】
2015210503.tif 000009
【図６Ｃ】
2015210503.tif 000010
【図６Ｄ】
2015210503.tif 000011
【図６Ｅ】
2015210503.tif 000012
【図６Ｆ】
2015210503.tif 000013
【図６Ｇ】
2015210503.tif 000014
【図６Ｈ】
2015210503.tif 000015
【図６Ｉ】
2015210503.tif 000016
【図６Ｊ】
2015210503.tif 000017
【図６Ｋ】
2015210503.tif 000018
【図６Ｌ】
2015210503.tif 000019
【図６Ｍ】
2015210503.tif 000020